(57)【特許請求の範囲】
【請求項１】
ルアー本体の先端に水流抵抗板が設けられた釣り用ルアーであって、
上記水流抵抗板の裏面両サイドに、側方からの水流を後方に導く形状を有する抉れが形成されていることを特徴とする釣り用ルアー。
【請求項２】
上記抉れは上記水流抵抗板の側方から基端に向かってカーブ状に形成されていることを特徴とする請求項１に記載の釣り用ルアー。
【請求項３】
上記水流抵抗板は、先端から後方に向かってカーブ状に幅広となり、その幅広部分の両後端を内側に切り欠いて切り欠き部が形成され、これら各切り欠き部の内端から後方に向かって略直線的に幅狭となる輪郭を有する形状とされており、上記抉れは上記水流抵抗板の裏面において上記各切り欠き部に連続するように形成されていることを特徴とする請求項１又は２に記載の釣り用ルアー。
【請求項４】
上記抉れは上記水流抵抗板の側方において最も深く、中央部分に向かって滑らかに浅くなるように形成されていることを特徴とする請求項１〜３のいずれか１項に記載の釣り用ルアー。
【発明の詳細な説明】
【０００１】
【発明の属する技術分野】
本発明は、水流抵抗板が設けられた釣り用ルアーに関する。
【０００２】
【従来の技術】
従来から、魚等に似せて形成されたルアー本体の先端に、リップと称される水流抵抗板が設けられた釣り用ルアーが知られている。このようにした釣り用ルアーでは、水流抵抗板が水流を受けて、ルアーを潜行させるとともに、揺動させる等のルアーアクションを演出することができる。
【０００３】
【発明が解決しようとする課題】
上記水流抵抗板の大きさや形状としては、多種多様なものが知られている。しかしながら、中には、水流抵抗板が受ける水流の切れが悪かったり、流れが乱れたりして、所望の潜行能力やシャープなルアーアクションが得られないものもあった。
【０００４】
本発明は上記のような点に鑑みてなされたものであり、所望の潜行能力やシャープなルアーアクションを容易に得ることのできる釣り用ルアーを提供することを目的とする。
【０００５】
【課題を解決するための手段】
本発明の釣り用ルアーは、ルアー本体の先端に水流抵抗板が設けられた釣り用ルアーであって、上記水流抵抗板の裏面両サイドに、側方からの水流を後方に導く形状を有する抉れが形成されている点に特徴を有する。
【０００７】
また、本発明の釣り用ルアーの他の特徴とするところは、上記抉れは上記水流抵抗板の側方から基端に向かってカーブ状に形成されている点にある。
【０００８】
また、本発明の釣り用ルアーの他の特徴とするところは、上記水流抵抗板は、先端から後方に向かってカーブ状に幅広となり、その幅広部分の両後端を内側に切り欠いて切り欠き部が形成され、これら各切り欠き部の内端から後方に向かって略直線的に幅狭となる輪郭を有する形状とされており、上記抉れは上記水流抵抗板の裏面において上記各切り欠き部に連続するように形成されている点にある。
【０００９】
また、本発明の釣り用ルアーの他の特徴とするところは、上記抉れは上記水流抵抗板の側方において最も深く、中央部分に向かって滑らかに浅くなるように形成されている点にある。
【００１０】
【発明の実施の形態】
以下、図面を参照して、本発明の釣り用ルアーの好適な実施の形態について説明する。
【００１１】
図１は本実施の形態の釣り用ルアーの上方斜視図、図２は下方斜視図、図３は平面図、図４は底面図、図５は右側面図、図６は正面図、図７は背面図である。ただし、これらの図において、ルアー本体１については概略の輪郭のみを示す。また、図８は、図５のVIII−VIII線断面図、図９は図６のIX−IX線断面図である。なお、図９の断面図において、点線で示すルアー本体１は中空構造を有するものであるが、その詳細な断面は省略する。これら図に示すように、ルアー本体１の先端には、リップと称される水流抵抗板２が設けられている。
【００１２】
ルアー本体１は、各図では簡単に示すが、合成樹脂等の材料を用いて魚に似せた外観形状とされ、目玉やえらが立体的に再現されている。そして、下腹部及び尾部には、図示しない釣り針を連結するためのリング３、４が配設されている。
【００１３】
ルアー本体１の先端には、水流抵抗板２が斜め下方に突出するようにして設けられている。水流抵抗板２はルアー本体１と一体形成されており、多くの場合、水中で目立たないように透明とされている。
【００１４】
水流抵抗板２は、図１、３に示すように、先端から後方に向かってカーブ状に幅広となり（図中２ａに示す先端輪郭線）、その幅広部分の両後端を内側に切り欠いて（切り欠き部５）、これら各切り欠き部５の内端から後方に向かって略直線的に幅狭となる（図中２ｂに示す側方輪郭線）輪郭を有する形状とされている。
【００１５】
水流抵抗板２の表面は平坦面とされている。そして、表面の中央部には球面状の凹部６が形成されており、その凹部６内に釣り糸を結ぶためのリング７が配設されている。
【００１６】
一方、水流抵抗板２の裏面は、内側に向かって徐々に肉厚になるようにされており、中央部分で肉厚の結合部８が一体に形成されて、その結合部８の基端がルアー本体１の先端下方に結合する。この肉厚の結合部８は、水流抵抗板２の後方に突出するように形成されており、水流抵抗板２の表面とルアー本体１の先端との間には間隙９が形成される。
【００１７】
ここで、図２、４に示すように、水流抵抗板２の裏面の両サイドには、抉れ１０が形成されている。これら抉れ１０は、水流抵抗板２の裏面において各切り欠き部５に連続するとともに、水流抵抗板２の側方から結合部８の基端に向かってカーブ状に形成されている。この抉れ１０のカーブ形状により、水流抵抗板２の裏面の中央部分（結合部８を含む）は、徐々に幅狭となるように抉られることになる。
【００１８】
ただし、結合部８の基端付近（ルアー本体１側）では、再び幅広となるように抉られている。したがって、肉厚の結合部８のルアー本体１に結合する基端面の断面は、具体的には図示しないが、略四角形（或いは略台形）となる。これにより、水流抵抗板２のルアー本体１に対する結合力を十分に確保し、水圧を受けたときに水流抵抗板２が根元から折れてしまうような不都合を防ぐことができる。
【００１９】
また、抉れ１０は、水流抵抗板２の側方において最も深く（換言すれば、水流抵抗板２の側部が最も肉薄に）、中央部分に向かって滑らかに浅くなるように（換言すれば、水流抵抗板２の中央部分は肉厚に）形成されている。したがって、結合部８の途中の断面は、図８に示すように、上方では幅広で、下方に向かって両側から徐々に幅狭くなる形状となる。
【００２０】
上記のようにした本実施の形態の釣り用ルアーによれば、水流抵抗板２の裏面の両サイドに抉れ１０が形成されており、図２の矢印ｘにも示すように、側方、更には下方からの水流が水流抵抗板２の裏面の後方に導かれる。したがって、整流機能を発揮するとともに、水きれをよくすることができ、所定の深度まで確実かつ素早く潜行させるとともに、シャープなルアーアクションを得ることができる。
【００２１】
なお、上記実施の形態では、ルアー本体１として、ずんぐりとした外観で、下腹部から尾部にかけて絞りこむようにしたものを図示したが、ルアー本体１の大きさや形状はどのようなものであってもよい。そして、水流抵抗板２の大きさや形状、取り付け角度等についても、上記実施の形態で説明したものに限定されるのではなく、ルアー本体１に合わせて適宜変更すればよい。
【００２２】
また、水流抵抗板２がルアー本体１に一体形成されていると説明したが、それぞれ別体で形成され、接着剤等の固着手段により固定されるようにしてもかまわない。
【００２３】
【発明の効果】
以上説明したように本発明によれば、水流抵抗板２の裏面の抉れにより、整流機能を発揮するとともに、水きれをよくすることにより、所定の深度まで確実かつ素早く潜行させるとともに、シャープなルアーアクションを得ることができる。
【図面の簡単な説明】
【図１】本実施の形態の釣り用ルアーの上方斜視図である。
【図２】本実施の形態の釣り用ルアーの下方斜視図である。
【図３】本実施の形態の釣り用ルアーの平面図である。
【図４】本実施の形態の釣り用ルアーの底面図である。
【図５】本実施の形態の釣り用ルアーの右側面図である。
【図６】本実施の形態の釣り用ルアーの正面図である。
【図７】本実施の形態の釣り用ルアーの背面図である。
【図８】図５のVIII−VIII線断面図である。
【図９】図６のIX−IX線断面図である。
【符号の説明】
１      ルアー本体
２      水流抵抗板
３、４  リング
５      切り欠き部
６      凹部
７      リング
８      結合部
９      間隙
１０    抉れ
【図１】
0003824530.tif 000002
【図２】
0003824530.tif 000003
【図３】
0003824530.tif 000004
【図４】
0003824530.tif 000005
【図５】
0003824530.tif 000006
【図６】
0003824530.tif 000007
【図７】
0003824530.tif 000008
【図８】
0003824530.tif 000009
【図９】
0003824530.tif 000010